(57)【特許請求の範囲】
【請求項１】
電子メールに広告を挿入して、該電子メールの送信、受信、転送を行う電子メール広告挿入装置であって、
広告を蓄積している広告蓄積部と、
前記電子メールに挿入する広告を選択する広告選択部と、
該広告選択部で選択された広告を前記電子メールに挿入するかどうかを判断しかつ制御する挿入判断部と、
該挿入判断部で挿入すると判断された場合、前記広告選択部で選択された広告を前記広告蓄積部から読み出し、前記電子メールの本文または署名部に掲載されるように挿入する広告挿入部と、
前記広告が挿入された前記電子メールを、ネットワーク上の前記電子メール広告挿入装置と異なるサーバに向けて送り出す送信部と
を有することを特徴とする電子メール広告挿入装置。
【請求項２】
記憶部と広告挿入部と挿入判断部と送信部を備えたサーバが広告挿入判断を行う電子メール処理方法であって、
前記記憶部が、前記サーバの利用者である電子メールの発信者が作成した電子メールを読み込むステップと、
前記挿入判断部が、広告を前記電子メールに挿入するかしないか判断する挿入判断ステップと
前記挿入判断ステップで挿入すると判断された場合、前記広告挿入部が前記記憶部から前記電子メールを受け取り、前記電子メールの本文または署名部に掲載されるように広告を挿入するステップと、
前記広告挿入部が、前記広告が挿入された前記電子メールを前記送信部に送るステップと、
前記送信部がネットワーク上の前記サーバと異なるサーバに向けて、前記広告が挿入された前記電子メールを前記ネットワークに送出するステップと
からなることを特徴とする電子メール処理方法。
【請求項３】
記憶部、広告選択部、広告蓄積部、広告挿入部、挿入判断部、および送信部を備えたサーバが広告挿入判断を行う電子メール処理方法であって、
前記記憶部が、前記サーバの利用者である電子メールの発信者が作成した電子メールを読み込むステップと、
前記広告選択部が、前記広告蓄積部から前記電子メールに挿入する広告を選択して読み出し、前記広告挿入部に送信するステップと、
前記挿入判断部が、前記広告を前記電子メールに挿入するかしないか判断する挿入判断ステップと
前記挿入判断ステップで挿入すると判断された場合、前記広告挿入部が前記記憶部から前記電子メールを受け取り、前記電子メールの本文または署名部に掲載されるように前記広告を挿入するステップと、
前記広告挿入部が、前記広告が挿入された電子メールを前記送信部に送るステップと、
前記送信部がネットワーク上の前記サーバと異なるサーバに向けて、前記広告が挿入された前記電子メールを前記ネットワークに送出するステップと
からなることを特徴とする電子メール処理方法。
【請求項４】
受信部、処理部、広告挿入部、挿入判断部、送信部、および記憶部を備えた第1のサーバが広告挿入判断を行う電子メール処理方法であって、
前記受信部が、ネットワーク上の第2のサーバから送信されてきた電子メールを受信するステップと、
前記処理部が、前記受信部から前記電子メールを受け取り、前記電子メールが受信用か転送用かを判断するステップと、
前記挿入判断部が、広告を前記電子メールに挿入するかしないか判断する挿入判断ステップと
前記挿入判断ステップで挿入すると判断された場合、前記広告挿入部が、前記処理部から前記電子メールを受け取り、前記電子メールの本文または署名部に掲載されるように広告を挿入するステップと、
前記電子メールが転送用データである場合には、前記広告挿入部が、前記広告が挿入された前記電子メールを前記送信部に送り、前記送信部が前記ネットワーク上の第3のサーバに向けて、前記広告が挿入された前記電子メールを前記ネットワークに送出するステップと、
前記電子メールが受信用データである場合には、前記広告挿入部が、前記広告が挿入された前記電子メールを前記記憶部に送り、前記記憶部が前記電子メールを記憶するステップ
からなることを特徴とする電子メール処理方法。
【請求項５】
受信部、処理部、広告選択部、広告蓄積部、広告挿入部、挿入判断部、送信部、および記憶部を備えた第1のサーバが広告挿入判断を行う電子メール処理方法であって、
前記受信部が、ネットワーク上の第2のサーバから送信されてきた電子メールを受信するステップと、
前記処理部が、前記受信部から前記電子メールを受け取り、前記電子メールが受信用か転送用かを判断するステップと、
前記広告選択部が、前記広告蓄積部から前記電子メールに挿入する広告を選択して読み出し、前記広告挿入部に送信するステップと、
前記挿入判断部が、前記広告を前記電子メールに挿入するかしないか判断する挿入判断ステップと
前記挿入判断ステップで挿入すると判断された場合、前記広告挿入部が、前記処理部から前記電子メールを受け取り、前記電子メールの本文または署名部に掲載されるように前記広告を挿入するステップと、
前記電子メールが転送用データである場合には、前記広告挿入部が、前記広告が挿入された電子メールを前記送信部に送り、前記送信部が、ネットワーク上の第3のサーバに向けて、前記広告が挿入された前記電子メールを前記ネットワークに送出するステップと、
前記電子メールが受信用データである場合には、前記広告挿入部が、前記広告が挿入された前記電子メールを前記記憶部に送信して、前記記憶部が前記電子メールを記憶するステップと
からなることを特徴とする電子メール処理方法。
【請求項６】
電子メールに広告を挿入する処理を実施するために、記憶部と広告挿入部と挿入判断部と送信部を備えたサーバを、
前記記憶部を、前記電子メール広告挿入装置の利用者である電子メールの発信者が作成した電子メールを読み込む手段、
前記挿入判断部を、広告を前記電子メールに挿入するかしないか判断する挿入判断手段、
前記挿入判断手段で挿入すると判断された場合、前記広告挿入部を、前記記憶部から前記電子メールを受け取り、前記電子メールの本文または署名部に掲載されるように広告を挿入する手段、
前記広告挿入部を、前記広告が挿入された前記電子メールを前記送信部に送る手段、
前記送信部を、ネットワーク上の前記サーバと異なるサーバに向けて、前記広告が挿入された前記電子メールを前記ネットワークに送出する手段
として機能させるためのプログラムを記録した、コンピュータが読み取り可能な記録媒体。
【請求項７】
電子メールに広告を挿入する処理を実施するために、受信部、処理部、広告挿入部、挿入判断部、送信部、および記憶部を備えた第1のサーバを、
前記受信部を、ネットワーク上の第2のサーバから送信されてきた電子メールを受信する手段、
前記処理部を、前記受信部から前記電子メールを受け取り、前記電子メールが受信用か転送用かを判断する手段、
前記挿入判断部を、広告を前記電子メールに挿入するかしないか判断する挿入判断手段、
前記挿入判断手段で挿入すると判断された場合、前記広告挿入部を、前記処理部から前記電子メールを受け取り、前記電子メールの本文または署名部に掲載されるように広告を挿入する手段、
前記電子メールが転送用データである場合には、前記広告挿入部を、前記広告が挿入された前記電子メールを前記送信部に送る手段、前記送信部を前記ネットワーク上の第３のサーバに向けて、前記広告が挿入された前記電子メールを前記ネットワークに送出する手段、
前記電子メールが受信用データである場合には、前記広告挿入部を、前記広告が挿入された前記電子メールを前記記憶部に送る手段、前記記憶部を、前記電子メールを記憶する手段
として機能させるためのプログラムを記録した、コンピュータが読み取り可能な記録媒体。
【発明の詳細な説明】
【０００１】
【発明の属する技術分野】
本発明は、電子メールに広告を挿入して、該電子メールの送信、受信、転送を行う方法、および電子メール広告挿入処理を実施するプログラムを記録した記録媒体に関する。
【０００２】
【従来の技術】
電子メール装置は、電子メールの送信、受信、転送を行うが、まず図４に示す従来の電子メール装置の電子メール送信機能について説明する。電子メール送信機能を作動させるには、まず制御部５００の指示により入出力インタフェース部１００を介してデータを入力し、入力部１４０に読み込む。入力されたデータは制御部５００の指示により記憶部２００に転送される。記憶部２００は当該データを制御部５００の指示により記憶する。入力部１４０にコマンドが入力された場合は制御部５００の指示によりコマンドを処理部３００に送信する。処理部３００は制御部５００の指示によりコマンドを解析し、当該処理を行うためのデータを記憶部２００に指示する。記憶部２００は制御部５００の指示により処理データを送信部４２０に送信し、送信部４２０は制御部５００の指示により入出力インタフェース部１００を介してネットワーク１６０に処理結果を送信する。
【０００３】
電子メール受信機能を作動させるには、まず制御部５００の指示により入出力インタフェース部１００を介して送信されてきたデータを受信部４４０で受信する。受信したデータは制御部５００の指示により処理部３００に送信され、処理部３００は制御部５００の指示によりコマンドを解析し、当該データが転送用データか受信用データかを判断する。処理部３００は制御部５００の指示により当該データを記憶部２００に転送する。記憶部２００は当該データを制御部５００の指示により記憶する。
【０００４】
入力部１４０にコマンドが入力された場合は制御部５００の指示によりコマンドを処理部３００に送信する。処理部３００は制御部５００の指示によりコマンドを解析し、当該処理を行うためのデータを記憶部２００に指示する。記憶部２００は制御部５００の指示により処理データを出力部１２０に送信し、出力部１２０は制御部５００の指示により入出力インタフェース部１００を介して利用者の表示装置あるいはネットワーク１６０上に連結された表示装置などに表示せしめる。
【０００５】
電子メール転送機能を作動させるには、まず制御部５００の指示により入出力インタフェース部１００を介して送信されてきたデータを受信部４４０で受信する。受信したデータは制御部５００の指示により処理部３００に送信され、処理部３００は制御部５００の指示によりコマンドを解析し、当該データが転送用データか受信用データかを判断する。処理部３００は制御部５００の指示により当該データを送信部４２０に送信し、送信部４２０は制御部５００の指示により入出力インタフェース部１００を介してネットワーク１６０に当該データを送信する。
【０００６】
【発明が解決しようとする課題】
上述したように、従来の電子メール装置は広告を挿入する機能を内包していないため、電子メールに広告を挿入する場合には、電子メールの発信者が本文または署名部に広告を直接掲載しなければならないという問題があった。また、システム側で発信時などにすべてのメッセージに一律に広告メッセージを挿入する場合には、受信者側が同一メッセージを繰り返し受け取ることになり、利用者に圧迫感や不快感が生じ、適正な広告効果を上げることができないという問題がある。
【０００７】
本発明は、上記に鑑みてなされたもので、その目的とするところは、電子メールの送信、受信、転送時に自動的かつ不快感を生じることなく広告を電子メールに挿入しうる電子メール広告挿入装置、電子メール広告挿入方法、および電子メール広告挿入処理を実施するプログラムを記録した記録媒体を提供することにある。
【０００８】
【課題を解決するための手段】
上記目的を達成するため、請求項１記載の本発明は、電子メールに広告を挿入して、該電子メールの送信、受信、転送を行う電子メール広告挿入装置であって、広告を蓄積している広告蓄積部と、前記電子メールに挿入する広告を選択する広告選択部と、該広告選択部で選択された広告を前記電子メールに挿入するかどうかを判断しかつ制御する挿入判断部と、該挿入判断部で挿入すると判断された場合、前記広告選択部で選択された広告を前記広告蓄積部から読み出し、前記電子メールの本文または署名部に掲載されるように挿入する広告挿入部と、前記広告が挿入された前記電子メールを、ネットワーク上の前記電子メール広告挿入装置と異なるサーバに向けて送り出す送信部とを有することを特徴とする。
【０００９】
また、請求項２記載の本発明は、記憶部と広告挿入部と挿入判断部と送信部を備えたサーバが広告挿入判断を行う電子メール処理方法であって、前記記憶部が、前記サーバの利用者である電子メールの発信者が作成した電子メールを読み込むステップと、  前記挿入判断部が、広告を前記電子メールに挿入するかしないか判断する挿入判断ステップと前記挿入判断ステップで挿入すると判断された場合、前記広告挿入部が前記記憶部から前記電子メールを受け取り、前記電子メールの本文または署名部に掲載されるように広告を挿入するステップと、前記広告挿入部が、前記広告が挿入された前記電子メールを前記送信部に送るステップと、
【００１０】
前記送信部がネットワーク上の前記サーバと異なるサーバに向けて、前記広告が挿入された前記電子メールを前記ネットワークに送出するステップとからなることを特徴とする。
【００１１】
請求項３記載の本発明は、記憶部、広告選択部、広告蓄積部、広告挿入部、挿入判断部、および送信部を備えたサーバが広告挿入判断を行う電子メール処理方法であって、前記記憶部が、前記サーバの利用者である電子メールの発信者が作成した電子メールを読み込むステップと、前記広告選択部が、前記広告蓄積部から前記電子メールに挿入する広告を選択して読み出し、前記広告挿入部に送信するステップと、前記挿入判断部が、前記広告を前記電子メールに挿入するかしないか判断する挿入判断ステップと前記挿入判断ステップで挿入すると判断された場合、前記広告挿入部が前記記憶部から前記電子メールを受け取り、前記電子メールの本文または署名部に掲載されるように前記広告を挿入するステップと、前記広告挿入部が、前記広告が挿入された電子メールを前記送信部に送るステップと、
【００１２】
前記送信部がネットワーク上の前記サーバと異なるサーバに向けて、前記広告が挿入された前記電子メールを前記ネットワークに送出するステップとからなることを特徴とする。
【００１３】
請求項４記載の本発明は、受信部、処理部、広告挿入部、挿入判断部、送信部、および記憶部を備えた第1のサーバが広告挿入判断を行う電子メール処理方法であって、  前記受信部が、ネットワーク上の第2のサーバから送信されてきた電子メールを受信するステップと、前記処理部が、前記受信部から前記電子メールを受け取り、前記電子メールが受信用か転送用かを判断するステップと、前記挿入判断部が、広告を前記電子メールに挿入するかしないか判断する挿入判断ステップと前記挿入判断ステップで挿入すると判断された場合、前記広告挿入部が、前記処理部から前記電子メールを受け取り、前記電子メールの本文または署名部に掲載されるように広告を挿入するステップと、
【００１４】
前記電子メールが転送用データである場合には、前記広告挿入部が、前記広告が挿入された前記電子メールを前記送信部に送り、前記送信部が前記ネットワーク上の第３のサーバに向けて、前記広告が挿入された前記電子メールを前記ネットワークに送出するステップと、前記電子メールが受信用データである場合には、前記広告挿入部が、前記広告が挿入された前記電子メールを前記記憶部に送り、前記記憶部が前記電子メールを記憶するステップ
からなることを特徴とする。
【００１５】
請求項５記載の本発明は、受信部、処理部、広告選択部、広告蓄積部、広告挿入部、挿入判断部、送信部、および記憶部を備えた第1のサーバが広告挿入判断を行う電子メール処理方法であって、前記受信部が、ネットワーク上の第2のサーバから送信されてきた電子メールを受信するステップと、前記処理部が、前記受信部から前記電子メールを受け取り、前記電子メールが受信用か転送用かを判断するステップと、前記広告選択部が、前記広告蓄積部から前記電子メールに挿入する広告を選択して読み出し、前記広告挿入部に送信するステップと、前記挿入判断部が、前記広告を前記電子メールに挿入するかしないか判断する挿入判断ステップと前記挿入判断ステップで挿入すると判断された場合、前記広告挿入部が、前記処理部から前記電子メールを受け取り、前記電子メールの本文または署名部に掲載されるように前記広告を挿入するステップと、前記電子メールが転送用データである場合には、前記広告挿入部が、前記広告が挿入された電子メールを前記送信部に送り、前記送信部が、ネットワーク上の第3のサーバに向けて、前記広告が挿入された前記電子メールを前記ネットワークに送出するステップと、前記電子メールが受信用データである場合には、前記広告挿入部が、前記広告が挿入された前記電子メールを前記記憶部に送信して、前記記憶部が前記電子メールを記憶するステップとからなることを特徴とする。
【００１６】
請求項６記載の本発明は、電子メールに広告を挿入する処理を実施するために、記憶部と広告挿入部と挿入判断部と送信部を備えたサーバを、前記記憶部を、前記電子メール広告挿入装置の利用者である電子メールの発信者が作成した電子メールを読み込む手段、前記挿入判断部を、広告を前記電子メールに挿入するかしないか判断する挿入判断手段、前記挿入判断手段で挿入すると判断された場合、前記広告挿入部を、前記記憶部から前記電子メールを受け取り、前記電子メールの本文または署名部に掲載されるように広告を挿入する手段、  前記広告挿入部を、前記広告が挿入された前記電子メールを前記送信部に送る手段、前記送信部を、ネットワーク上の前記サーバと異なるサーバに向けて、前記広告が挿入された前記電子メールを前記ネットワークに送出する手段として機能させるためのプログラムを記録した、コンピュータが読み取り可能な記録媒体を提供する。
【００１７】
請求項７記載の本発明は、電子メールに広告を挿入する処理を実施するために、受信部、処理部、広告挿入部、挿入判断部、送信部、および記憶部を備えた第1のサーバを、前記受信部を、ネットワーク上の第2のサーバから送信されてきた電子メールを受信する手段、前記処理部を、前記受信部から前記電子メールを受け取り、前記電子メールが受信用か転送用かを判断する手段、前記挿入判断部を、広告を前記電子メールに挿入するかしないか判断する挿入判断手段、前記挿入判断手段で挿入すると判断された場合、前記広告挿入部を、前記処理部から前記電子メールを受け取り、前記電子メールの本文または署名部に掲載されるように広告を挿入する手段、前記電子メールが転送用データである場合には、前記広告挿入部を、前記広告が挿入された前記電子メールを前記送信部に送る手段、前記送信部を前記ネットワーク上の第３のサーバに向けて、前記広告が挿入された前記電子メールを前記ネットワークに送出する手段、前記電子メールが受信用データである場合には、前記広告挿入部を、前記広告が挿入された前記電子メールを前記記憶部に送る手段、前記記憶部を、前記電子メールを記憶する手段として機能させるためのプログラムを記録した、コンピュータが読み取り可能な記録媒体を提供する。
【００１８】
【発明の実施の形態】
以下、図面を用いて本発明の実施の形態について説明する。
【００１９】
図１は、本発明の一実施形態に係る電子メール広告挿入装置の構成を示すブロック図である。同図に示す電子メール広告挿入装置は、本装置の全体の動作を制御する制御部８００、ネットワークに接続された入出力インタフェース部１００、データを入力する入力部１４０、データを出力する出力部１２０、データを記憶する記憶部２００、データの処理を行う処理部３００、電子メールを送信する送信部４２０および電子メールを受信する受信部４４０からなる転送部４００、広告を電子メールに挿入する広告挿入部７００、電子メールに挿入する広告を選択する広告選択部７２０、広告を蓄積している広告蓄積部７４０、電子メールへの広告の挿入を判断する挿入判断部７１０から構成されている。
【００２０】
次に、図２に示すフローチャートを参照して、図１に示す電子メール広告挿入装置の作用を説明する。まず、広告を電子メールの送信時に挿入する場合の作用について説明する。まず制御部８００の指示により入出力インタフェース部１００を介してデータを入力し、入力部１４０に読み込む（ステップＳ１１）。入力されたデータは制御部８００の指示により記憶部２００に転送される。記憶部２００は当該データを制御部８００の指示により記憶する。入力部１４０にコマンドが入力された場合は制御部８００の指示によりコマンドを処理部３００に送信する。処理部３００は制御部８００の指示によりコマンドを解析し、当該処理を行うためのデータを記憶部２００に指示する。記憶部２００は制御部８００の指示により処理データを広告挿入部７００に送信する。制御部８００の指示により広告選択部７２０は予め設定されたアルゴリズムで広告選択のためのキーとコマンドを発行し、処理部３００にコマンドを送信する。
【００２１】
処理部３００は制御部８００の指示によって所定の検索キーに対応する広告を広告蓄積部７４０から読み出し（ステップＳ１３）、制御部８００の指示にしたがって当該データを広告挿入部７００に送信する。広告挿入部７００は、制御部８００の指示により、広告を挿入するかどうかの判断を行うため、受信者情報を抽出し、制御部８００の指示により、挿入判断部７１０へ送信する。挿入判断部７１０は制御部８００の指示により、挿入判断を行う（ステップＳ１５）。挿入すると判断した場合には、広告挿入部７００は制御部８００の指示により当該データを先に記憶部２００より受信した処理データに結合する（ステップＳ１７）。結合されたデータは制御部８００の指示により送信部４２０に送信され、送信部４２０は制御部８００の指示により入出力インタフェース部１００を介してネットワーク１６０に当該データを送信する（ステップＳ２３）。
【００２２】
次に、広告を電子メールの受信時に挿入する場合の作用について説明する。まず制御部８００の指示により入出力インタフェース部１００を介して送信されてきたデータを受信部４４０で受信する（ステップＳ１１）。受信したデータは制御部８００の指示により処理部３００に送信され、処理部３００は制御部８００の指示によりコマンドを解析し、当該データが転送用データか受信用データかを判断する。処理部３００は制御部８００の指示により当該データを広告挿入部７００に送信する。制御部８００の指示により広告選択部７２０は予め設定されたアルゴリズムで広告選択のためのキーとコマンドを発行し、処理部３００にコマンドを送信する。
【００２３】
処理部３００は制御部８００の指示によって所定の検索キーに対応する広告を広告蓄積部７４０から読み出し（ステップＳ１３）、制御部８００の指示にしたがって当該データを広告挿入部７００に送信する。広告挿入部７００は、制御部８００の指示により、広告を挿入するかどうかの判断を行うため、受信者情報を抽出し、制御部８００の指示により、挿入判断部７１０へ送信する。挿入判断部７１０は制御部８００の指示により、挿入判断を行う（ステップＳ１５）。挿入すると判断した場合には、広告挿入部７００では当該データを先に受信したデータに結合する（ステップＳ１７）。先に受信したデータが受信用データの場合結合されたデータは制御部８００の指示により記憶部２００に送信される。記憶部２００は当該データを制御部８００の指示により記憶する（ステップＳ２１）。
【００２４】
入力部１４０にコマンドが入力された場合は制御部８００の指示によりコマンドを処理部３００に送信する。処理部３００は制御部８００の指示によりコマンドを解析し、当該処理を行うためのデータを記憶部２００に指示する。記憶部２００は制御部８００の指示により処理データを出力部１２０に送信し、出力部１２０は制御部８００の指示により入出力インタフェース部１００を介して利用者の表示装置あるいはネットワーク１６０上に連結された表示装置などに表示せしめる。
【００２５】
次に、広告を電子メールの転送時に挿入する場合について説明する。まず制御部８００の指示により入出力インタフェース部１００を介して送信されてきたデータを受信部４４０で受信する（ステップＳ１１）。受信したデータは制御部８００の指示により処理部３００に送信され、処理部３００は制御部８００の指示によりコマンドを解析し、当該データが転送用データか受信用データかを判断する。処理部３００は制御部８００の指示により当該データを広告挿入部７００に送信する。制御部８００の指示により広告選択部７２０は予め設定されたアルゴリズムで広告選択のためのキーとコマンドを発行し、処理部３００にコマンドを送信する。処理部３００は制御部８００の指示によって所定の検索キーに対応する広告を広告蓄積部７４０から読み出し（ステップＳ１３）、制御部８００の指示にしたがって当該データを広告挿入部７００に送信する。広告挿入部７００は、制御部８００の指示により、広告を挿入するかどうかの判断を行うため、受信者情報を抽出し、制御部８００の指示により、挿入判断部７１０へ送信する。挿入判断部７１０は制御部８００の指示により、挿入判断を行う（ステップＳ１５）。挿入すると判断した場合は、広告挿入部７００では当該データを先に受信したデータに結合する（ステップＳ１７）。先に受信したデータが転送データの場合、結合されたデータは制御部８００の指示により送信部４２０に送信され、送信部４２０は制御部８００の指示により入出力インタフェース部１００を介してネットワーク１６０に当該データを送信する（ステップＳ２３）。
【００２６】
上述した電子メール広告挿入処理はソフトウェアによっても容易に実現しうるものであり、この場合には該電子メール広告挿入処理を実施するプログラムを記録媒体として記録することにより、該記録媒体を用いて、その流通性を高めることができる。
【００２７】
また、広告挿入は送信時、受信時、転送時に行われるが、その組合せやアルゴリズムの選択により複数の広告を挿入したり、または先に挿入されていた広告を上書きしたりという機能を付加することができることもに容易にできる。
【００２８】
【発明の効果】
以上説明したように、本発明によれば、広告を蓄積しておき、電子メールに挿入する広告を選択し、この選択した広告を電子メールに挿入するかどうかを制御し、挿入すると判断された場合、選択された広告を読み出し、電子メールに広告を自動的に挿入することができる。
【００２９】
また、本発明によれば、広告を蓄積しておき、電子メールに挿入する広告を選択し、この選択した広告を電子メールに挿入するかどうかを制御し、挿入すると判断された場合、選択された広告を読み出し、電子メールに挿入するという電子メール広告挿入処理を実施するプログラムを記録媒体に記録しているので、該記録媒体を用いて、その流通性を高めることができる。
【図面の簡単な説明】
【図１】本発明の一実施形態に係る電子メール広告挿入装置の構成を示すブロック図である。
【図２】図１に示す電子メール広告挿入装置の作用を示すフローチャートである。
【図３】従来の電子メール装置の構成を示すブロック図である。
【符号の説明】
１００  入出力インタフェース部
１２０  入力部
１４０  出力部
２００  記憶部
３００  処理部
４００  転送部
４２０  送信部
４４０  受信部
７００  広告挿入部
７１０  挿入判断部
７２０  広告選択部
７４０  広告蓄積部
８００  制御部
【図１】
0003621652.tif 000002
【図２】
0003621652.tif 000003
【図３】
0003621652.tif 000004